(57)【特許請求の範囲】
【請求項１】
無線ネットワークインターフェースと、プライベートデバイスリストと、１つ以上の通信ネットワークに対する接続とを含む、無線アクセスポイントであって、前記無線アクセスポイントは、使用中に、
ｉ）前記無線ネットワークインターフェースを介して第１のアイデンティティおよび第２のアイデンティティを伝送することと、
ｉｉ）モバイル端末が、前記第１のアイデンティティを介して前記無線アクセスポイントに対する接続を行っていることに応答して、前記プライベートデバイスリスト内に前記モバイル端末の一意的な識別子を格納することと、
ｉｉｉ）その後、関連する一意的な識別子が前記プライベートデバイスリストに格納されているモバイル端末が、前記第２のアイデンティティを介して前記無線アクセスポイントに接続することを防止することと
を行うように構成されている、無線アクセスポイント。
【請求項２】
前記無線アクセスポイントは、前記モバイル端末が、前記第１のアイデンティティを介して前記無線アクセスポイントに対する接続を行っていることに応答して、前記プライベートデバイスリスト内に前記モバイル端末のメディアアクセス制御（ＭＡＣ）アドレスを格納するように構成されている、請求項１に記載の無線アクセスポイント。
【請求項３】
前記第１のアイデンティティは、プライベート基本サービスセットを含む、請求項１〜２のいずれか一項に記載の無線アクセスポイント。
【請求項４】
前記第２のアイデンティティは、パブリック基本サービスセットを含む、請求項１〜３のいずれか一項に記載の無線アクセスポイント。
【請求項５】
無線アクセスポイントを動作させる方法であって、
前記方法は、
ａ）無線ネットワークインターフェースを介して第１のアイデンティティおよび第２のアイデンティティを伝送するステップと、
ｂ）モバイル端末が、前記第１のアイデンティティを介して前記無線アクセスポイントに対する接続を行っていることに応答して、プライベートデバイスリスト内に前記モバイル端末の一意的な識別子を格納するステップと、
ｃ）その後、関連する一意的な識別子が前記プライベートデバイスリストに格納されているモバイル端末が、前記第２のアイデンティティを介して前記無線アクセスポイントに接続することを防止するステップと
を含む、方法。
【請求項６】
コンピューティングデバイス内での使用のためのコンピュータ読み取り可能な記録媒体であって、前記コンピュータ読み取り可能な記録媒体は、コンピュータ実行可能コードを含み、前記コンピュータ実行可能コードは、使用中に、請求項５に記載の方法を実行する、コンピュータ読み取り可能な記録媒体。
【発明の詳細な説明】
【技術分野】
【０００１】
本発明は、無線アクセスポイントに関しており、特に、接続を選択的に可能にする無線アクセスポイントに関している。
【背景技術】
【０００２】
通信ネットワークオペレータが、彼らの顧客にインターネットへのＷｉＦｉアクセスを提供し、その結果、スマートフォン、タブレット、および同様のデバイスのユーザがインターネットにアクセスすることができるようにすることは、一般的である。現在、出願人は、英国内での４００万のホットスポットおよび世界中のあらゆる場所での２００万以上のホットスポットを有するＷｉＦｉネットワークを稼働させている。これらのホットスポットの多くは、顧客のホームネットワークに接続されたプライベートＳＳＩＤと、ＷｉＦｉコアネットワークを介してインターネットに接続されたパブリックＳＳＩＤとの両方を広告する、家庭用ブロードバンドワイヤレスルータおよび商業用ブロードバンドワイヤレスルータによって提供される。ユーザは、様々なプレミアムサイト（例えば、ホテル、カフェ等）におけるパブリックＳＳＩＤ、ならびに、ホームルータまたはビジネスルータのパブリックＳＳＩＤに接続し得る。
【０００３】
不都合なことに、スマートフォンおよびタブレット（例えば、ｉＯＳデバイスまたはＡｎｄｒｏｉｄデバイス等）は、最後に成功裏に接続されたＳＳＩＤを選好するＳＳＩＤ優先順位付けアルゴリズムを有している。これは、家庭外にいるときにパブリックＳＳＩＤに接続するユーザは、彼らが家庭に戻ったときに、デフォルトで、彼らのアクセスポイントのパブリック側に自動的に接続し得ることを意味する。これは、ユーザが、彼ら自身のプライベートネットワークに接続されたデバイス（例えば、Ｎｅｔｗｏｒｋ  Ａｔｔａｃｈｅｄ  Ｓｔｏｒａｇｅ  ｄｅｖｉｃｅまたはメディアプレイヤー）にアクセスすることができないことを意味しているので、望ましくない。また、これは、ブロードバンドアクセスネットワークを介してインターネットへと一直線に向かうべきインターネットトラフィックが、代わりに、ＷｉＦｉコアネットワークへとルーティングされ、その結果、ネットワークオペレータに対して追加のコストをもたらし、潜在的にスループットを低減させ、ひいては、ユーザエクスペリエンスを低下させることを意味しているので、望ましくない。
【０００４】
いくつかの第三者接続管理者アプリケーション（例えば、出願人のＷｉＦｉ  Ａｎｄｒｏｉｄアプリケーションを含む）は、デバイスのデフォルトの挙動にオーバーライドし、そして、デバイス上のプログラムでプライベート対パブリックの優先順位付けを適用することを試みている。これは、困難であることが証明されている。なぜなら、多くのデバイスが、適切なＡＰＩを提供しないからであり、必要なＡＰＩアクセスを提供するデバイスの場合であっても、１つの優先順位付けポリシーを適用する基礎のＯＳと、異なるポリシーを適用する第三者接続管理者との間に、競合状態が存在するからである。多くの場合において、基礎のＯＳは、この競合に勝利し、誤った優先順位付けが適用される。
【０００５】
特許文献１は、一意的な識別子（例えば、モバイル端末のＭＡＣアドレスまたはＯＵＩ  （Ｏｒｇａｎｉｓａｔｉｏｎａｌ  ｕｎｉｑｕｅ  ｉｄｅｎｔｉｆｉｅｒ））を決定し、当該一意的な識別子を用いることによって、ネットワーク接続性を制御するアクセスポリシーおよび／またはモバイル端末がアクセスすることが可能なサービスを決定することを開示している。
【先行技術文献】
【特許文献】
【０００６】
【特許文献１】米国特許第７，５３５，８８０号明細書
【発明の概要】
【課題を解決するための手段】
【０００７】
本発明の一局面にしたがい、無線ネットワークインターフェースと、プライベートデバイスリストと、１つ以上の通信ネットワークに対する接続とを含む、無線アクセスポイントが提供され、前記無線アクセスポイントは、使用中に、ｉ）前記無線ネットワークインターフェースを介して第１のアイデンティティおよび第２のアイデンティティを伝送することと、ｉｉ）モバイル端末が、前記第１のアイデンティティを介して前記無線アクセスポイントに対する接続を行っていることに応答して、前記プライベートデバイスリスト内に前記モバイル端末の一意的な識別子を格納することと、ｉｉｉ）その後、関連する一意的な識別子が前記プライベートデバイスリストに格納されているモバイル端末が、前記第２のアイデンティティを介して前記無線アクセスポイントに接続することを防止することとを行うように構成されている。
【０００８】
前記無線アクセスポイントは、前記モバイル端末が、前記第１のアイデンティティを介して前記無線アクセスポイントに対する接続を行っていることに応答して、前記プライベートデバイスリスト内に前記モバイル端末のメディアアクセス制御（ＭＡＣ）アドレスを格納するように構成され得る。前記第１のアイデンティティは、プライベート基本サービスセットを含み得る。前記第２のアイデンティティは、パブリック基本サービスセットを含み得る。
【０００９】
本発明の第２の実施形態にしたがい、無線アクセスポイントを動作させる方法が提供され、前記方法は、ａ）無線ネットワークインターフェースを介して第１のアイデンティティおよび第２のアイデンティティを伝送するステップと、ｂ）モバイル端末が、前記第１のアイデンティティを介して前記無線アクセスポイントに対する接続を行っていることに応答して、プライベートデバイスリスト内に前記モバイル端末の一意的な識別子を格納するステップと、ｃ）その後、関連する一意的な識別子が前記プライベートデバイスリストに格納されているモバイル端末が、前記第２のアイデンティティを介して前記無線アクセスポイントに接続することを防止するステップとを含む。
【００１０】
本発明の第３の実施形態にしたがい、コンピューティングデバイス内の使用のための有形のデータキャリアが提供され、前記データキャリアは、コンピュータ実行可能コードを含み、前記コンピュータ実行可能コードは、使用中に、上述した方法を実行する。
本明細書は、例えば、以下の項目も提供する。
（項目１）
無線ネットワークインターフェースと、プライベートデバイスリストと、１つ以上の通信ネットワークに対する接続とを含む、無線アクセスポイントであって、前記無線アクセスポイントは、使用中に、
ｉ）前記無線ネットワークインターフェースを介して第１のアイデンティティおよび第２のアイデンティティを伝送することと、
ｉｉ）モバイル端末が、前記第１のアイデンティティを介して前記無線アクセスポイントに対する接続を行っていることに応答して、前記プライベートデバイスリスト内に前記モバイル端末の一意的な識別子を格納することと、
ｉｉｉ）その後、関連する一意的な識別子が前記プライベートデバイスリストに格納されているモバイル端末が、前記第２のアイデンティティを介して前記無線アクセスポイントに接続することを防止することと
を行うように構成されている、無線アクセスポイント。
（項目２）
前記無線アクセスポイントは、前記モバイル端末が、前記第１のアイデンティティを介して前記無線アクセスポイントに対する接続を行っていることに応答して、前記プライベートデバイスリスト内に前記モバイル端末のメディアアクセス制御（ＭＡＣ）アドレスを格納するように構成されている、項目１に記載の無線アクセスポイント。
（項目３）
前記第１のアイデンティティは、プライベート基本サービスセットを含む、項目１〜２のいずれか一項に記載の無線アクセスポイント。
（項目４）
前記第２のアイデンティティは、パブリック基本サービスセットを含む、項目１〜３のいずれか一項に記載の無線アクセスポイント。
（項目５）
無線アクセスポイントを動作させる方法であって、
前記方法は、
ａ）無線ネットワークインターフェースを介して第１のアイデンティティおよび第２のアイデンティティを伝送するステップと、
ｂ）モバイル端末が、前記第１のアイデンティティを介して前記無線アクセスポイントに対する接続を行っていることに応答して、プライベートデバイスリスト内に前記モバイル端末の一意的な識別子を格納するステップと、
ｃ）その後、関連する一意的な識別子が前記プライベートデバイスリストに格納されているモバイル端末が、前記第２のアイデンティティを介して前記無線アクセスポイントに接続することを防止するステップと
を含む、方法。
（項目６）
コンピューティングデバイス内の使用のための有形のデータキャリアであって、前記データキャリアは、コンピュータ実行可能コードを含み、前記コンピュータ実行可能コードは、使用中に、項目５に記載の方法を実行する、データキャリア。
【図面の簡単な説明】
【００１１】
ここで、本発明の実施形態が、添付図面を参照しながら、単なる例として記載される。
【図１】図１は、本発明にしたがう、無線アクセスポイント１００の概略的描写である。
【図２】図２は、モバイル端末の一意的な識別子がプライベートデバイスリスト内にいかにして格納されるかについての図表的記述を提供している図２を示している。
【図３】図３は、プライベートＢＳＳを介して既に接続されていたモバイル端末が無線アクションポイントの範囲内に入ったときの、無線アクションポイントの動作の図表的記述を示している。
【図４】図４は、ＭＡＣアドレスがプライベートデバイスリスト内に格納されているモバイル端末が無線アクションポイントの範囲内に入ったときの、無線アクションポイントの動作のさらなる図表的記述を示している。
【発明を実施するための形態】
【００１２】
図１は、本発明にしたがう、無線アクセスポイント１００の概略的描写を示している。無線アクセスポイント１００は、無線インターフェース１１０と、プライベート基本サービスセット（ＢＳＳ）１２０と、パブリック基本サービスセット（ＢＳＳ）１３０と、プライベートデバイスリスト１４０と、ルータ１５０とを含む。ルータは、インターネット２００に接続されており、１つ以上のさらなるデバイス３００（例えば、ＮＡＳまたはメディアサーバ）は、有線Ｅｔｈｅｒｎｅｔ（登録商標）接続を介してアクセスポイント１００に接続され得る。プライベートＢＳＳ１２０およびパブリックＢＳＳ１３０の両方は、仮想ＢＳＳとして実装され、両方とも無線インターフェースを用いる。プライベートＢＳＳおよびパブリックＢＳＳは、異なるＳＳＩＤを有しており、その結果、ユーザは、例えばプライベートＢＳＳに対するＢＴＨｏｍｅＨｕｂおよびパブリックＢＳＳに対するＢＴＷｉＦｉ等の、彼らが無線アクセスポイントに対して行っている接続に気付かされる。
【００１３】
モバイル端末４００Ａは、    例えば、ユーザがＳＳＩＤを選択し、適切なパスワードを入力することにより、または、ＷＰＳ（Ｗｉ−Ｆｉ  Ｐｒｏｔｅｃｔｅｄ  Ｓｅｔｕｐ）方法を用いることにより、プライベートＢＳＳに対する接続を開始する。接続を確実にするために、適切な認証方法（例えば、ＷＰＡ２  Ｐｒｅ−ｓｈａｒｅｄ  Ｋｅｙ等）が用いられる。モバイル端末４００Ａが、無線アクセスポイントに対する接続を行うと、モバイル端末は、インターネット２００にデータを送信したり、インターネット２００からデータを受信したりすることが可能になり（ルータ１５０をインターネット２００に接続している実線によって示されている）、プライベートＢＳＳへの有線接続または無線接続のいずれかを介してアクセスポイントに接続されている１つ以上のデバイス３００と通信することも可能になる。さらに、モバイル端末の一意的な識別子（例えば、ＭＡＣ（メディアアクセス制御）アドレス等）は、無線アクセスポイントによってプライベートデバイスリスト１４０内に格納される。ＭＡＣアドレスを一意的な端末識別子として用いることは好ましい。なぜなら、ＭＡＣアドレスは、認証プロセスの間にモバイル端末によって送信されたＷｉＦｉパケットの送信者アドレスフィールドから自動的に抽出され得るからである。プライベートデバイスリストは、データがアクセスポイントの複数の再始動の間に持続するように、不揮発性メモリ内に格納され得る。モバイル端末が、認証の試みに失敗した場合、そのＭＡＣアドレスは、それが既に存在している場合には、プライベートデバイスリストから除去され得る。
【００１４】
モバイル端末４００Ａが、無線アクセスポイント１００の範囲外に移動した場合、接続は終了させられ得る。その後、モバイル端末４００Ａが、さらなるアクセスポイント（ＢＴＷｉＦｉパブリックＢＳＳを広告していたもの）の範囲内に移動した場合、モバイル端末４００Ａが、ＢＴＷｉＦｉパブリックＢＳＳを用いてそのさらなるアクセスポイントに対する接続を行うことが可能であり得る。モバイル端末が、本発明にしたがう無線アクセスポイント１００の範囲内に戻ってきた場合、モバイル端末のＭＡＣアドレスをプライベートデバイスリスト内に含んでいることは、無線アクセスポイントが、モバイル端末によって送信された任意のメッセージに応答しないことを意味する。したがって、モバイル端末は、ＢＴＷｉＦｉパブリックＢＳＳに対する接続を行うことができず、その結果、ＢＴＨｏｍｅＨｕｂプライベートＢＳＳに対してのみ接続がなされ得る。
【００１５】
モバイル端末４００Ｂは、プライベートデバイスリスト内に自身のＭＡＣアドレスを格納されておらず、したがって、無線アクセスポイント１００の範囲内に入ったときには、ＢＴＷｉＦｉパブリックＢＳＳおよびＢＴＨｏｍｅＨｕｂプライベートＢＳＳの両方が、端末に提示され得る。端末のユーザが、ＢＴＨｏｍｅＨｕｂプライベートＢＳＳに対する接続のために必要な証明書を有していない場合、モバイル端末４００Ｂは、ＢＴＷｉＦｉパブリックＢＳＳに接続し得る。パブリックＢＳＳに対するトラフィックは、安全トンネル内に封入され、ルータ１５０を介して、ＷｉＦｉプロバイダによって動作されているネットワーク２１０に転送される（図１における破線によって示されている）。その後、モバイル端末は、インターネット２００にアクセスすることを可能にされ得るが、モバイル端末が、ネットワーク２１０内で動作させられる認証プロセスを受けること、または、インターネットに対するアクセスを購入することが必要になり得る。ＢＴＷｉＦｉパブリックＢＳＳに送信されたトラフィック、および、ＢＴＷｉＦｉパブリックＢＳＳから送信されたトラフィックは、有線ＬＡＮを介してアクセスポイントに取り付けられたデバイスにアクセスすること、または、ＢＴＨｏｍｅＨｕｂプライベートＢＳＳに対する無線接続を有している任意の端末にアクセスすることが、可能ではない。
【００１６】
ここで、本発明は、図２に関連してより詳細に記載される。図２は、モバイル端末の一意的な識別子がプライベートデバイスリスト内にいかにして格納されるかについての図表的記述を提供している。プライベートＢＳＳおよびパブリックＢＳＳは、両方とも、各ＢＳＳのＳＳＩＤを含むそれぞれのビーコン信号をステップＳ２００において伝送し得る。モバイル端末４００が、無線アクセスポイント１００の範囲内にある場合、該モバイル端末は、これらのビーコン信号を検出することが可能であり得る。まず、モバイル端末は、プライベートＢＳＳおよびパブリックＢＳＳの両方をユーザに表示し得る。ユーザがプライベートＢＳＳに対する接続のために必要な認証を有している場合、ユーザは、プライベートＢＳＳを選択し得る。モバイル端末が、プライベートＢＳＳに対するプローブ信号（Ｓ２１０）を伝送したことに応答して、アクセスポイントは、プローブ応答（プライベートＢＳＳのＳＳＩＤ、すなわち“ＢＴＨｏｍｅＨｕｂ”を含む）によって返答する（Ｓ２２０）。その後、従来式の認証手順が開始され（Ｓ２３０）、これは、４−ｗａｙ  ｈａｎｄｓｈａｋｅで完結する。４−ｗａｙ  ｈａｎｄｓｈａｋｅの完了後、無線アクセスポイントは、プライベートデバイスリスト１４０内にモバイル端末のＭＡＣアドレスを格納し得る。  
【００１７】
図３は、モバイル端末がプライベートＢＳＳを介して既に成功裏に接続されていた無線アクションポイントの範囲内に該モバイル端末が入ったときの、無線アクションポイント１００の動作の図表的記述を示している。図２に関連して上述したように、プライベートＢＳＳおよびパブリックＢＳＳは、両方とも、各ＢＳＳのＳＳＩＤを含むそれぞれのビーコン信号を伝送し得る（ステップＳ３００）。モバイル端末内のＳＳＩＤ優先順位付けアルゴリズムが、パブリックＢＳＳを選択し、そして、モバイル端末が、プローブ信号をパブリックＢＳＳに伝送することによって応答する場合（ステップＳ３１０）、モバイル端末のＭＡＣアドレスがプライベートデバイスリスト内に保持されているかどうかを決定するために、プライベートデバイスリストに問いかけをし得る（ステップＳ３２０）。プライベートデバイスリストからの応答（ステップＳ３３０）が、この事実を確認すると、パブリックＢＳＳは、ステップＳ３４０において、プローブ信号を無視することにより、プロセスを終了させ得る。この結果は、モバイル端末がパブリックＢＳＳに接続することができないというものになり、パブリックＢＳＳが実際には範囲外であることを想定し得る。パブリックＢＳＳＩＤは、モバイル端末によって表示されなくなり得る。
【００１８】
モバイル端末のＭＡＣアドレスが、プライベートデバイスリスト内に保持されていない場合、無線アクセスポイントは、従来式の態様で、プローブ信号およびその後の関連メッセージに応答し得る。モバイル端末が、さらなるＷｉＦｉアクセスポイントに既に接続されていた場合、該モバイル端末は、このアクセスポイントに対する自身の接続を維持し得、かつ、パブリックＢＳＳへとローミングしようとしないので、ユーザは、ネットワーク接続性を喪失しないことになり得る。
【００１９】
図４は、ＭＡＣアドレスがプライベートデバイスリスト内に格納されているモバイル端末が無線アクションポイントの範囲内に入ったときの、無線アクションポイント１００の動作のさらなる図表的記述を示している。図２および３に関連して上述されたように、プライベートＢＳＳおよびパブリックＢＳＳは、両方とも、各ＢＳＳのＳＳＩＤを含むそれぞれのビーコン信号を伝送し得る（ステップＳ４００）。モバイル端末が、パブリックＢＳＳに対する認証を試みた場合（ステップＳ４１０）、パブリックＢＳＳは、モバイル端末のＭＡＣアドレスがプライベートデバイスリスト内に保持されているかどうかを決定するために、プライベートデバイスリストに問いかけをし得る（Ｓ４２０）。プライベートデバイスリストからの応答（ステップＳ４３０）が、この事実を確認すると、パブリックＢＳＳは、ステップＳ４４０において、認証要求を無視することにより、プロセスを終了させ得、その結果、端末は、無線アクセスポイントに対する接続を行わないことになり得る。図２に関連して上述したように、モバイル端末のＭＡＣアドレスが、プライベートデバイスリスト内に保持されていない場合、無線アクセスポイントは、従来式の態様で、認証要求に応答し得る。
【００２０】
いくつかの無線アクセスポイントは、２．４ＧＨｚ帯域および５ＧＨｚ帯域において同時に伝送することが可能なので、本発明は、プライベートＢＳＳおよびパブリックＢＳＳの両方に対して１つよりも多くの周波数を使用し得るということが理解されるべきである（本発明は、１つよりも多くのパブリックＢＳＳを伝送するアクセスポイントで実装され得る）。代替的に、プライベートＢＳＳおよびパブリックＢＳＳは、異なる周波数帯域にわたって分離され得る。
【００２１】
従来式に、アクセスポイントは、例えば、ウェブブラウザを介してアクセスされ得るインターフェースを有することにより、ユーザによって管理されることが可能である。ユーザがこのような態様でプライベートデバイスリストを管理または修正することが可能であり得る。これは、ユーザが、プライベートデバイスリストからデバイスを除去することを可能にするか、または、該ユーザが、１つ以上の特定のデバイスがパブリックＢＳＳまたはプライベートＢＳＳの両方に接続することが可能であることを所望する場合に、プライベート専用フラグを修正することを可能にする。また、アクセスポイントは、プライベートＢＳＳに成功裏に関連付けられたデバイスがプライベートデバイスリストに追加されるべきかどうかを定義する１つ以上のルールに対し、モバイル端末のＭＡＣアドレスを比較する。例えば、アクセスポイントは、例えば、モバイル端末のＭＡＣアドレスが特定のデバイスタイプを示す特定の３バイトシーケンス（例えば、００−０Ａ−９５は、Ａｐｐｌｅデバイスを示す）で開始する場合に、特定のタイプのデバイスを追加しないことを選定し得る。これは、挙動がデバイスタイプに応じてなされることを可能にし、その結果、本発明は、ＳＳＩＤ優先順位付けアルゴリズムが誤ったものであることが知られているデバイスに対してのみ適用され得る。このようなルールは、管理インターフェースを介してユーザにより、または、遠隔管理システム（例えば、ＤＳＬＦｏｒｕｍ  ｓｔａｎｄａｒｄ  ＴＲ０．６９等）を介してネットワークオペレータにより、形成、選定、または、構成され得る。
【００２２】
本発明は、無線アクセスポイント内で実装されるので、  端末がなんらかの追加のソフトウェアを実行する必要性なしに、本発明が任意の形式のモバイル端末とともに機能し得ることが理解され得る。
【００２３】
本発明は、無線アクセスポイント内のソフトウェア上に実装されるので、従来式の無線アクセスポイントを、本発明にしたがう方法を実行することのできるものにアップグレードすることが可能であり得る。コンピュータコードは、ダウンロードを介して無線アクセスポイントに配備され得る（例えば、ＩＳＰからインターネットを介して）か、または、一部の物理的メディア（例えば、それに対して無線アクセスポイントが適切なメディアリーダを有しているＤＶＤ、ＣＤ−ＲＯＭ、ＵＳＢメモリスティック等）上に配備され得る。
【００２４】
要約すると、本発明は、プライベートデバイスリストと、プライベートＢＳＳと、パブリックＢＳＳとを含む無線アクセスポイントを提供する。モバイル端末がプライベートＢＳＳに接続する場合、一意的な識別子（例えば、ＭＡＣアドレス等）が、プライベートデバイスリスト内に格納される。一意的な識別子がプライベートデバイスリスト内に格納される任意のデバイスは、その後にパブリックＢＳＳに接続することを防止される。
【要約】
プライベートデバイスリスト（１４０）と、プライベートＢＳＳと、パブリックＢＳＳとを含む、無線アクセスポイント（１００）。モバイル端末（４００）が、プライベートＢＳＳ（１２０）に接続するとき、一意的な識別子（例えば、ＭＡＣアドレス等）が、プライベートデバイスリスト内に格納される。プライベートデバイスリスト内に一意的な識別子が格納される任意のデバイスは、パブリックＢＳＳ（１３０）にその後に接続することを防止される。【図１】
0005822416.tif 000002
【図２】
0005822416.tif 000003
【図３】
0005822416.tif 000004
【図４】
0005822416.tif 000005